(57)【特許請求の範囲】
【請求項１】
近距離通信網を介して移動通信端末と接続され、アプリケーションサーバーに要請して受信した交通情報を実行するナビゲーション端末と、
近距離通信網を介して前記ナビゲーション端末と接続され、移動通信網を介してサービスサーバーと接続され、前記ナビゲーション端末とサービスサーバーとの間のデータの転送を司る移動通信端末と、
移動通信網を介して前記移動通信端末に接続され、移動通信網または有線通信網を介してアプリケーションサーバーに接続され、前記ナビゲーション端末および移動通信端末に対して認証を行い、認証済みのナビゲーション端末から要請された交通情報の提供を前記アプリケーションサーバーに要請するサービスサーバーと、
移動通信網または有線通信網を介して前記サービスサーバーと接続され、前記ナビゲーション端末から要請された交通情報を提供するアプリケーションサーバーと、
を備える、近距離通信網を用いた交通情報提供システムであって、
前記移動通信端末が、ナビゲーション端末がサービス利用可能な機器であるか否かを判断する認証ステップ１と、
前記認証ステップ１における判断の結果、ナビゲーション端末がサービス利用可能な機器であると判断された場合に、前記ナビゲーション端末が移動通信端末にナビゲーション端末の固有識別情報を送信する認証ステップ２と、
前記移動通信端末が、前記ナビゲーション端末の固有識別情報が正常であるか否かを判断する認証ステップ３と、
前記認証ステップ３における判断の結果、固有識別情報が正常であると判断された場合に、前記移動通信端末が前記サービスサーバーに移動通信端末およびナビゲーション端末の固有識別情報を送信する認証ステップ４と、
前記サービスサーバーが、前記移動通信端末およびナビゲーション端末の固有識別情報および加入情報を基に、前記移動通信端末およびナビゲーション端末がサービス利用可能な状態であるか否かを判断する認証ステップ５と、
前記認証ステップ５における判断の結果、前記移動通信端末およびナビゲーション端末がサービス利用可能な状態であると判断された場合に、前記ナビゲーション端末に認証メッセージを送信する認証ステップ６と、
を含む認証を、前記移動通信端末とサービスサーバーが行う、近距離通信網を用いた交通情報提供システム。
【請求項２】
移動通信網または有線通信網を介して前記サービスサーバーと接続され、アプリケーションサーバーからナビゲーション端末へと交通情報が提供された場合に、前記移動通信端末に対して課金を行う課金サーバーをさらに備えることを特徴とする請求項１に記載の近距離通信網を用いた交通情報提供システム。
【請求項３】
移動通信網を介してデータを送受信する通信部と、
前記通信部を介して受信された移動通信端末情報を管理する移動通信端末管理部と、
前記通信部を介して受信されたナビゲーション端末情報を管理するナビゲーション端末管理部と、
前記移動通信端末とナビゲーション端末との間の通信を中継する近距離通信網情報を管理する近距離通信網管理部と、
前記移動通信端末情報、ナビゲーション端末情報および近距離通信網情報を記憶する記憶部と、
各構成要素の動作を制御し、前記移動通信端末情報およびナビゲーション端末情報を基に、移動通信端末およびナビゲーション端末に対して認証を行い、通信部がアプリケーションサーバーから受信した交通情報を前記移動通信端末に転送するように制御する制御部と、
を備える、交通情報中継のためのサービスサーバーであって、
前記移動通信端末が、ナビゲーション端末がサービス利用可能な機器であるか否かを判断するステップ１と、
前記ステップ１における判断の結果、ナビゲーション端末がサービス利用可能な機器であると判断された場合に、前記ナビゲーション端末が移動通信端末にナビゲーション端末の固有識別情報を送信するステップ２と、
前記移動通信端末が、前記ナビゲーション端末の固有識別情報が正常であるか否かを判断するステップ３と、
前記ステップ３における判断の結果、固有識別情報が正常であると判断された場合に、前記移動通信端末がサービスサーバーに移動通信端末およびナビゲーション端末の固有識別情報を送信するステップ４とによって、前記ナビゲーション端末が認証され、
前記移動通信端末が前記ナビゲーション端末を認証した後の前記制御部による認証は、
前記移動通信端末およびナビゲーション端末の固有識別情報および加入情報を基に、前記移動通信端末およびナビゲーション端末がサービス利用可能な状態であるか否かを判断するステップ５と、
前記移動通信端末およびナビゲーション端末がサービス利用可能な状態であると判断された場合に、前記ナビゲーション端末に認証メッセージを送信するステップ６と、
を含む、交通情報中継のためのサービスサーバー。
【請求項４】
移動通信網を介してデータを送受信する第１の通信部と、
近距離通信網を介してデータを送受信する第２の通信部と、
前記第２の通信部を介して受信されたナビゲーション端末情報を管理するナビゲーション端末管理部と、
前記ナビゲーション端末情報を記憶する記憶部と、
各構成要素の動作を制御し、前記ナビゲーション端末がサービス利用可能な機器であるか否かおよび固有識別情報が正常であるか否かを判断する認証を行い、前記ナビゲーション端末の交通情報要請をサービスサーバーに転送し、サービスサーバーから受信した交通情報をナビゲーション端末に転送するように前記第１の通信部および第２の通信部を制御する制御部と、
を備える、交通情報中継のための移動通信端末であって、
前記認証は、
前記移動通信端末が、ナビゲーション端末がサービス利用可能な機器であるか否かを判断するステップ１と、
前記ステップ１における判断の結果、ナビゲーション端末がサービス利用可能な機器であると判断された場合に、前記ナビゲーション端末が移動通信端末にナビゲーション端末の固有識別情報を送信するステップ２と、
前記移動通信端末が、前記ナビゲーション端末の固有識別情報が正常であるか否かを判断するステップ３と、
前記ステップ３における判断の結果、固有識別情報が正常であると判断された場合に、前記移動通信端末が前記サービスサーバーに移動通信端末およびナビゲーション端末の固有識別情報を送信するステップ４と、
を含み、
前記制御部が前記ナビゲーション端末を認証した後、
前記移動通信端末およびナビゲーション端末の固有識別情報および加入情報を基に、前記移動通信端末およびナビゲーション端末がサービス利用可能な状態であるか否かを判断するステップ５と、
前記認証ステップ５における判断の結果、前記移動通信端末およびナビゲーション端末がサービス利用可能な状態であると判断された場合に、前記ナビゲーション端末に認証メッセージを送信するステップ６とによって、
前記サービスサーバが前記移動通信端末およびナビゲーション端末を認証する、交通情報中継のための移動通信端末。
【請求項５】
近距離通信網を介してナビゲーション端末と移動通信端末とが接続され、移動通信網を介して移動通信端末、サービスサーバーおよびアプリケーションサーバーが接続されたシステムによる交通情報の提供方法であって、
前記移動通信端末が前記ナビゲーション端末に対し、そして前記サービスサーバーが前記ナビゲーション端末および移動通信端末に対して、サービス提供のための認証を行う認証ステップと、
前記ナビゲーション端末が前記サービスサーバーからの一覧から交通情報を選択して送信を要請する交通情報要請ステップと、
前記アプリケーションサーバーが前記ナビゲーション端末から要請された交通情報を提供する提供ステップと、
を含み、前記認証ステップは、
前記移動通信端末が、ナビゲーション端末がサービス利用可能な機器であるか否かを判断する認証ステップ１と、
前記認証ステップ１における判断の結果、ナビゲーション端末がサービス利用可能な機器であると判断された場合に、前記ナビゲーション端末が移動通信端末にナビゲーション端末の固有識別情報を送信する認証ステップ２と、
前記移動通信端末が、前記ナビゲーション端末の固有識別情報が正常であるか否かを判断する認証ステップ３と、
前記認証ステップ３における判断の結果、固有識別情報が正常であると判断された場合に、前記移動通信端末が前記サービスサーバーに移動通信端末およびナビゲーション端末の固有識別情報を送信する認証ステップ４と、
前記サービスサーバーが、前記移動通信端末およびナビゲーション端末の固有識別情報および加入情報を基に、前記移動通信端末およびナビゲーション端末がサービス利用可能な状態であるか否かを判断する認証ステップ５と、
前記認証ステップ５における判断の結果、前記移動通信端末およびナビゲーション端末がサービス利用可能な状態であると判断された場合に、前記ナビゲーション端末に認証メッセージを送信する認証ステップ６と、
を含む、近距離通信網を用いた交通情報の提供方法。
【請求項６】
前記ナビゲーション端末が移動通信端末を検索し、検索された移動通信端末に対してサービス要請信号を送信するサービス要請ステップをさらに含むことを特徴とする請求項５に記載の近距離通信網を用いた交通情報の提供方法。
【請求項７】
前記交通情報要請ステップは、
前記ナビゲーション端末が、接続された近距離通信網の情報および一覧の要請メッセージをサービスサーバーに送信する交通情報要請ステップ１と、
前記サービスサーバーが要請された一覧を前記ナビゲーション端末に送信する交通情報要請ステップ２と、
前記サービスサーバーが要請された一覧に含まれている交通情報資料を前記ナビゲーション端末に送信する交通情報要請ステップ３と、
前記ナビゲーション端末が一覧に含まれている交通情報資料を選択して前記サービスサーバーに送信する交通情報要請ステップ４と、
を含むことを特徴とする請求項５に記載の近距離通信網を用いた交通情報の提供方法。
【請求項８】
前記交通情報要請ステップ３における交通情報資料は、交通情報の説明、送信可能な近距離通信網の種類、課金情報、交通情報のサイズ、交通情報の型式および送信形態を含むことを特徴とする請求項７に記載の近距離通信網を用いた交通情報の提供方法。
【請求項９】
前記交通情報要請ステップ４は、前記ナビゲーション端末が課金サーバーに課金情報を送信する動作をさらに行うことを特徴とする請求項７に記載の近距離通信網を用いた交通情報の提供方法。
【請求項１０】
前記提供ステップは、
前記サービスサーバーが選択された交通情報を変換する必要があるか否かを判断する提供ステップ１と、
前記提供ステップ１における判断の結果、変換する必要があると判断された場合に、前記アプリケーションサーバーに変換を要請するか、または、サービスサーバーが交通情報を変換する提供ステップ２と、
前記変換された交通情報をナビゲーション端末に送信する提供ステップ３と、
を含むことを特徴とする請求項５に記載の近距離通信網を用いた交通情報の提供方法。
【請求項１１】
移動通信端末およびナビゲーション端末を認証する認証ステップと、
前記移動通信端末に交通情報一覧を提供する一覧提供ステップと、
前記移動通信端末に交通情報資料を提供する交通情報資料提供ステップと、
前記移動通信端末から要請された交通情報をアプリケーションサーバーから受信して移動通信端末に転送する交通情報転送ステップと、
を含む、サービスサーバーを介した交通情報の中継方法であって、
前記移動通信端末が、ナビゲーション端末がサービス利用可能な機器であるか否かを判断するステップ１と、
前記ステップ１における判断の結果、ナビゲーション端末がサービス利用可能な機器であると判断された場合に、前記ナビゲーション端末が移動通信端末にナビゲーション端末の固有識別情報を送信するステップ２と、
前記移動通信端末が、前記ナビゲーション端末の固有識別情報が正常であるか否かを判断するステップ３と、
前記ステップ３における判断の結果、固有識別情報が正常であると判断された場合に、前記移動通信端末が前記サービスサーバーに移動通信端末およびナビゲーション端末の固有識別情報を送信するステップ４とによって、前記ナビゲーション端末は認証され、
前記移動通信端末が前記ナビゲーション端末を認証した後の前記移動通信端末およびナビゲーション端末を認証する認証ステップは、
前記移動通信端末およびナビゲーション端末の固有識別情報および加入情報を基に、前記移動通信端末およびナビゲーション端末がサービス利用可能な状態であるか否かを判断するステップ５と、
前記移動通信端末およびナビゲーション端末がサービス利用可能な状態であると判断された場合に、前記ナビゲーション端末に認証メッセージを送信するステップ６と、
を含む、サービスサーバーを介した交通情報の中継方法。
【請求項１２】
前記交通情報転送ステップは、前記移動通信端末またはナビゲーション端末のハードウェア仕様に基づく交通情報変換要請を前記アプリケーションサーバーに転送するかまたはサービスサーバーが自ら変換し、前記アプリケーションサーバーまたはサービスサーバーによって変換された交通情報を前記移動通信端末に転送することを特徴とする請求項１１に記載のサービスサーバーを介した交通情報の中継方法。
【請求項１３】
ナビゲーション端末を認証する認証ステップと、
サービスサーバーに交通情報一覧要請を転送する一覧要請転送ステップと、
前記サービスサーバーから受信した交通情報一覧を前記ナビゲーション端末に転送する交通情報資料転送ステップと、
前記サービスサーバーから受信した交通情報を前記ナビゲーション端末に転送する交通情報転送ステップと、
を含む、移動通信端末を介した交通情報の中継方法であって、
前記ナビゲーション端末を認証する認証ステップは、
前記移動通信端末が、ナビゲーション端末がサービス利用可能な機器であるか否かを判断するステップ１と、
前記ステップ１における判断の結果、ナビゲーション端末がサービス利用可能な機器であると判断された場合に、前記ナビゲーション端末が移動通信端末にナビゲーション端末の固有識別情報を送信するステップ２と、
前記移動通信端末が、前記ナビゲーション端末の固有識別情報が正常であるか否かを判断するステップ３と、
前記ステップ３における判断の結果、固有識別情報が正常であると判断された場合に、前記移動通信端末がサービスサーバーに移動通信端末およびナビゲーション端末の固有識別情報を送信するステップ４と、
を含み、
前記ナビゲーション端末を認証する認証ステップの後、
前記移動通信端末およびナビゲーション端末の固有識別情報および加入情報を基に、前記移動通信端末およびナビゲーション端末がサービス利用可能な状態であるか否かを判断するステップ５と、
前記ステップ５における判断の結果、前記移動通信端末およびナビゲーション端末がサービス利用可能な状態であると判断された場合に、前記ナビゲーション端末に認証メッセージを送信するステップ６とによって、
前記サービスサーバが前記移動通信端末およびナビゲーション端末を認証する、移動通信端末を介した交通情報の中継方法。
【請求項１４】
前記サービスサーバーから受信した交通情報を記憶して実行する実行ステップをさらに含むことを特徴とする請求項１３に記載の移動通信端末を介した交通情報の中継方法。
【請求項１５】
近距離通信網を介して移動通信端末に固有識別情報を送信して認証を要請する認証要請ステップと、
前記移動通信端末から受信した交通情報一覧および交通情報資料を確認する確認ステップと、
前記移動通信端末に交通情報要請情報を送信する交通情報要請ステップと、
前記移動通信端末から受信した交通情報を実行する実行ステップと、
を含む、近距離通信網を介して受信された交通情報を実行する方法であって、
前記認証は、
前記移動通信端末が、ナビゲーション端末がサービス利用可能な機器であるか否かを判断する認証ステップ１と、
前記認証ステップ１における判断の結果、ナビゲーション端末がサービス利用可能な機器であると判断された場合に、前記ナビゲーション端末が移動通信端末にナビゲーション端末の固有識別情報を送信する認証ステップ２と、
前記移動通信端末が、前記ナビゲーション端末の固有識別情報が正常であるか否かを判断する認証ステップ３と、
前記認証ステップ３における判断の結果、固有識別情報が正常であると判断された場合に、前記移動通信端末が前記サービスサーバーに移動通信端末およびナビゲーション端末の固有識別情報を送信する認証ステップ４と、
前記サービスサーバーが、前記移動通信端末およびナビゲーション端末の固有識別情報および加入情報を基に、前記移動通信端末およびナビゲーション端末がサービス利用可能な状態であるか否かを判断する認証ステップ５と、
前記認証ステップ５における判断の結果、前記移動通信端末およびナビゲーション端末がサービス利用可能な状態であると判断された場合に、前記ナビゲーション端末に認証メッセージを送信する認証ステップ６と、
を含む、近距離通信網を介して受信された交通情報を実行する方法。
【請求項１６】
請求項１１または１２に記載のサービスサーバーを介した交通情報の中継方法をプログラムとして記憶した記憶媒体。
【請求項１７】
請求項１３または１４に記載の移動通信端末を介した交通情報の中継方法をプログラムとして記憶した記憶媒体。
【請求項１８】
請求項１５に記載の近距離通信網を介して受信された交通情報を実行する方法をプログラムとして記憶した記憶媒体。
【発明の詳細な説明】
【技術分野】
【０００１】
本発明は、近距離通信網を用いた交通情報提供システム、方法、サービスサーバー、交通情報の中継方法、アプリケーションサーバー、交通情報の提供方法、移動通信端末、ナビゲーション端末、実行方法および記憶媒体に係り、さらに詳しくは、近距離通信網に接続可能なナビゲーション端末が移動通信端末およびサービスサーバーを経て移動通信網のアプリケーションサーバーから交通情報の提供を受けて通信網の制約を克服することのできる技術に関する。
【背景技術】
【０００２】
情報通信技術の発展に伴い、車両に搭載したり携行したりして位置検索、移動経路検索などが行える各種のナビゲーション端末が登場している。この種のナビゲーション端末は地図情報を記憶しており、これを実行するためのプログラムも一緒に記憶される。道路または建物の新設などによって地図情報が変更される場合に、ユーザーは、地図情報をパソコン（ＰＣ）からダウンロードして使用することとなる。しかしながら、ユーザーが移動中であるか、あるいは、ＰＣと接続できない状況にある場合には更新された地図情報をダウンロードすることができないといった問題がある。
【０００３】
また、前記ナビゲーション端末を車両の走行に際して航法装置として使用する場合に、交通量の増減に応じて経路を修正する必要がある。このような経路修正は、交通情報収集施設から交通情報を受信して行われる。交通情報の提供は、ＴＰＥＧ（Ｔｒａｎｓｐｏｒｔ  Ｐｒｏｔｏｃｏｌ  Ｅｘｐｅｒｔ  Ｇｒｏｕｐ）を用いて提供されることが普通であるが、このようなシステムは全国的な情報提供を行うことができないという不都合がある。
【発明の概要】
【発明が解決しようとする課題】
【０００４】
本発明は上述した従来の技術による不都合を解消するためになされたものであり、その目的は、近距離通信網に接続可能なナビゲーション端末が移動通信網を介してユーザー所望の交通情報をダウンロードして実行することのできる技術を提供するところにある。
【課題を解決するための手段】
【０００５】
上述した目的を達成するために、本発明の実施形態に係る近距離通信網を用いた交通情報提供システムは、近距離通信網を介して移動通信端末と接続され、アプリケーションサーバーに要請して受信した交通情報を実行するナビゲーション端末と、近距離通信網を介して前記ナビゲーション端末と接続され、移動通信網を介してサービスサーバーと接続され、前記ナビゲーション端末とサービスサーバーとの間のデータの転送を司る移動通信端末と、移動通信網を介して前記移動通信端末に接続され、移動通信網または有線通信網を介してアプリケーションサーバーに接続され、前記ナビゲーション端末および移動通信端末に対して認証を行い、認証済みのナビゲーション端末から要請された交通情報の提供を前記アプリケーションサーバーに要請するサービスサーバーと、移動通信網または有線通信網を介して前記サービスサーバーと接続され、前記ナビゲーション端末から要請された交通情報を提供するアプリケーションサーバーと、を備える。
【０００６】
前記近距離通信網を用いた交通情報提供システムは、移動通信網または有線通信網を介して前記サービスサーバーと接続され、アプリケーションサーバーからナビゲーション端末へと交通情報が提供された場合に、前記移動通信端末に対して課金を行う課金サーバーをさらに備えていてもよい。
【０００７】
上述した目的を達成するために、本発明の他の実施形態に係る近距離通信網を用いた交通情報の提供方法は、近距離通信網を介してナビゲーション端末と移動通信端末とが接続され、移動通信網を介して移動通信端末、サービスサーバーおよびアプリケーションサーバーが接続されたシステムによる交通情報の提供方法であって、前記サービスサーバーが前記ナビゲーション端末および移動通信端末に対してサービス提供のための認証を行う認証ステップと、前記ナビゲーション端末が前記サービスサーバーからの一覧から交通情報を選択して送信を要請する交通情報要請ステップと、前記アプリケーションサーバーが前記ナビゲーション端末から要請された交通情報を提供する提供ステップと、を含む。
【０００８】
前記近距離通信網を用いた交通情報の提供方法は、前記ナビゲーション端末が移動通信端末を検索し、検索された移動通信端末に対してサービス要請信号を送信するサービス要請ステップをさらに含んでいてもよい。
【０００９】
前記近距離通信網を用いた交通情報の提供方法において、前記認証ステップは、前記移動通信端末が、ナビゲーション端末がサービス利用可能な機器であるか否かを判断する認証ステップ１と、前記認証ステップ１における判断の結果、ナビゲーション端末がサービス利用可能な機器であると判断された場合に、前記ナビゲーション端末が移動通信端末にナビゲーション端末の固有識別情報を送信する認証ステップ２と、前記移動通信端末が、前記ナビゲーション端末の固有識別情報が正常であるか否かを判断する認証ステップ３と、前記認証ステップ３における判断の結果、固有識別情報が正常であると判断された場合に、前記移動通信端末が前記サービスサーバーに移動通信端末およびナビゲーション端末の固有識別情報を送信する認証ステップ４と、前記サービスサーバーが、前記移動通信端末およびナビゲーション端末の固有識別情報および加入情報を基に、前記移動通信端末およびナビゲーション端末がサービス利用可能な状態であるか否かを判断する認証ステップ５と、前記認証ステップ５における判断の結果、前記移動通信端末およびナビゲーション端末がサービス利用可能な状態であると判断された場合に、前記ナビゲーション端末に認証メッセージを送信する認証ステップ６と、を含んでいてもよい。
【００１０】
前記近距離通信網を用いた交通情報の提供方法において、前記交通情報要請ステップは、前記ナビゲーション端末が、接続された近距離通信網の情報および一覧の要請メッセージをサービスサーバーに送信する交通情報要請ステップ１と、前記サービスサーバーが要請された一覧を前記ナビゲーション端末に送信する交通情報要請ステップ２と、前記サービスサーバーが要請された一覧に含まれている交通情報資料を前記ナビゲーション端末に送信する交通情報要請ステップ３と、前記ナビゲーション端末が一覧に含まれている交通情報資料を選択して前記サービスサーバーに送信する交通情報要請ステップ４と、を含んでいてもよい。
【００１１】
前記近距離通信網を用いた交通情報の提供方法において、前記交通情報要請ステップ３における交通情報資料は、交通情報の説明、送信可能な近距離通信網の種類、課金情報、交通情報のサイズ、交通情報の型式および送信形態を含んでいてもよい。
【００１２】
前記近距離通信網を用いた交通情報の提供方法において、前記交通情報要請ステップ４は、前記ナビゲーション端末が課金サーバーに課金情報を送信する動作をさらに行ってもよい。
【００１３】
前記近距離通信網を用いた交通情報の提供方法において、前記提供ステップは、前記サービスサーバーが選択された交通情報を変換する必要があるか否かを判断する提供ステップ１と、前記提供ステップ１における判断の結果、変換する必要があると判断された場合に、前記アプリケーションサーバーに変換を要請するか、または、サービスサーバーが交通情報を変換する提供ステップ２と、前記変換された交通情報をナビゲーション端末に送信する提供ステップ３と、を含んでいてもよい。
【００１４】
上述した目的を達成するために、本発明のさらに他の実施形態に係る交通情報中継のためのサービスサーバーは、移動通信網を介してデータを送受信する通信部と、前記通信部を介して受信された移動通信端末情報を管理する移動通信端末管理部と、前記通信部を介して受信されたナビゲーション端末情報を管理するナビゲーション端末管理部と、前記移動通信端末とナビゲーション端末との間の通信を中継する近距離通信網情報を管理する近距離通信網管理部と、前記移動通信端末情報、ナビゲーション端末情報および近距離通信網情報を記憶する記憶部と、各構成要素の動作を制御し、前記移動通信端末情報およびナビゲーション端末情報を基に、移動通信端末およびナビゲーション端末に対して認証を行い、通信部がアプリケーションサーバーから受信した交通情報を前記移動通信端末に転送するように制御する制御部と、を備える。
【００１５】
上述した目的を達成するために、本発明のさらに他の実施形態に係るサービスサーバーを介した交通情報の中継方法は、移動通信端末およびナビゲーション端末を認証する認証ステップと、前記移動通信端末に交通情報一覧を提供する一覧提供ステップと、前記移動通信端末に交通情報資料を提供する交通情報資料提供ステップと、前記移動通信端末から要請された交通情報をアプリケーションサーバーから受信して移動通信端末に転送する交通情報転送ステップと、を含む。
【００１６】
前記サービスサーバーを介した交通情報の中継方法において、前記交通情報転送ステップは、前記移動通信端末またはナビゲーション端末のハードウェア仕様に基づく交通情報変換要請を前記アプリケーションサーバーに転送するかまたはサービスサーバーが自ら変換し、前記アプリケーションサーバーまたはサービスサーバーによって変換された交通情報を前記移動通信端末に転送してもよい。
【００１７】
上述した目的を達成するために、本発明のさらに他の実施形態に係る記憶媒体は、上述したサービスサーバーを介した交通情報の中継方法をプログラムとして記憶する。
【００１８】
上述した目的を達成するために、本発明のさらに他の実施形態に係るアプリケーションサーバーは、移動通信網を介してデータを送受信する通信部と、交通情報を管理する交通情報管理部と、交通情報を記憶する記憶部と、各構成要素の動作を制御し、前記通信部がサービスサーバーに交通情報資料および交通情報を提供するように制御する制御部と、を備える。
【００１９】
前記アプリケーションサーバーは、前記制御部において生成された交通情報変換指令に基づいて交通情報を変換する変換部をさらに備えていてもよい。
【００２０】
上述した目的を達成するために、本発明のさらに他の実施形態に係るアプリケーションサーバーを介した交通情報の提供方法は、サービスサーバーに交通情報資料を提供する情報提供ステップと、サービスサーバーから要請された交通情報を提供する交通情報提供ステップと、を含んでいてもよい。
【００２１】
前記アプリケーションサーバーを介した交通情報の提供方法は、サービスサーバーの要請に応じて交通情報を変換する交通情報変換ステップをさらに含んでいてもよい。
【００２２】
上述した目的を達成するために、本発明のさらに他の実施形態に係る記憶媒体は、上述したアプリケーションサーバーを介した交通情報の提供方法をプログラムとして記憶する。
【００２３】
上述した目的を達成するために、本発明のさらに他の実施形態に係る交通情報中継のための移動通信端末は、移動通信網を介してデータを送受信する第１の通信部と、近距離通信網を介してデータを送受信する第２の通信部と、前記第２の通信部を介して受信されたナビゲーション端末情報を管理するナビゲーション端末管理部と、前記ナビゲーション端末情報を記憶する記憶部と、各構成要素の動作を制御し、前記ナビゲーション端末のサービス利用可否および固有識別情報の正常有無を判断し、前記ナビゲーション端末の交通情報要請をサービスサーバーに転送し、サービスサーバーから受信した交通情報をナビゲーション端末に転送するように前記第１の通信部および第２の通信部を制御する制御部と、を備える。
【００２４】
上述した目的を達成するために、本発明のさらに他の実施形態に係る移動通信端末を介した交通情報の中継方法は、ナビゲーション端末を認証する認証ステップと、サービスサーバーに交通情報一覧要請を転送する一覧要請転送ステップと、前記サービスサーバーから受信した交通情報一覧を前記ナビゲーション端末に転送する交通情報資料転送ステップと、および前記サービスサーバーから受信した交通情報を前記ナビゲーション端末に転送する交通情報転送ステップと、を含む。
【００２５】
前記移動通信端末を介した交通情報の中継方法は、前記サービスサーバーから受信した交通情報を記憶して実行する実行ステップをさらに含んでいてもよい。
【００２６】
上述した目的を達成するために、本発明のさらに他の実施形態に係る記憶媒体は、上述した移動通信端末を介した交通情報の中継方法をプログラムとして記憶する。
【００２７】
上述した目的を達成するために、本発明のさらに他の実施形態に係る近距離通信網を介して受信された交通情報を実行するナビゲーション端末は、ユーザーの指令が入力される入力部と、近距離通信網を介してデータを送受信する通信部と、交通情報を実行する実行部と、各構成要素の動作を制御し、移動通信端末に交通情報要請信号を送信し、移動通信端末から交通情報を受信するように前記通信部を制御する制御部と、を備える。
【００２８】
前記近距離通信網を介して受信された交通情報を実行するナビゲーション端末は、ナビゲーション端末の識別情報および受信された交通情報を記憶する記憶部をさらに備えていてもよい。
【００２９】
上述した目的を達成するために、本発明のさらに他の実施形態に係る近距離通信網を介して受信された交通情報を実行する方法は、近距離通信網を介して移動通信端末に固有識別情報を送信して認証を要請するステップと、前記移動通信端末から受信した交通情報一覧および交通情報資料を確認する確認ステップと、前記移動通信端末に交通情報要請情報を送信する交通情報要請ステップと、前記移動通信端末から受信した交通情報を実行する実行ステップと、を含む。
【００３０】
上述した目的を達成するために、本発明のさらに他の実施形態に係る記憶媒体は、上述した近距離通信網を介して受信された交通情報を実行する方法をプログラムとして記憶する。
【図面の簡単な説明】
【００３１】
【図１】図１は、本発明の実施形態に係る交通情報提供システムのブロック図である。
【図２】図２は、図１におけるサービスサーバーの詳細ブロック図である。
【図３】図３は、図１におけるアプリケーションサーバーの詳細ブロック図である。
【図４】図４は、図１における移動通信端末の詳細ブロック図である。
【図５】図５は、図１におけるナビゲーション端末の詳細ブロック図である。
【図６】図６は、本発明の実施形態に係る交通情報の提供方法のフローチャートである。
【図７】図７は、図６におけるサービス要請ステップの詳細フローチャートである。
【図８】図８は、図６における認証ステップの詳細フローチャートである。
【図９】図９は、図６における交通情報要請ステップの詳細フローチャートである。
【図１０】図１０は、図６における提供ステップの詳細フローチャートである。
【図１１】図１１は、本発明の実施形態に係るサービスサーバーを介した交通情報の中継方法のフローチャートである。
【図１２】図１２は、本発明の実施形態に係る移動通信端末を介した交通情報の中継方法のフローチャートである。
【図１３】図１３は、本発明の実施形態に係るアプリケーションサーバーを介した交通情報の提供方法のフローチャートである。
【図１４】図１４は、本発明の実施形態に係る近距離通信網を介して受信された交通情報を実行する方法のフローチャートである。
【発明を実施するための形態】
【００３２】
以下、添付図面に基づき、本発明の実施形態を詳述する。
以下、本発明を説明するに当たって、関連された公知機能または構成に関する具体的な説明が本発明の要旨を余計に曖昧にする虞があると認められる場合にはその詳細な説明は省略する。なお、後述する用語は本発明における機能を考慮して設定された用語であり、これらの用語は製品を生産する生産者の意図または慣例によって異なり、用語の定義は本明細書の全般に亘っての内容に基づいて下されるべきである。
【００３３】
まず、図１に基づき、本発明の実施形態に係る近距離通信網を用いた交通情報提供システムを説明する。
【００３４】
図１は、本発明の実施形態に係る交通情報提供システムのブロック図である。
【００３５】
図１に示すように、本実施形態に係る近距離通信網を用いた交通情報提供システム１００（以下、説明の便宜のために、特に言及のない限り、「近距離通信網を用いた交通情報提供システム」は、「交通情報提供システム」と略称する。）は、移動通信網１４０を介してサービスサーバー１１０、アプリケーションサーバー１２０、課金サーバー１３０および移動通信端末１５０が接続され、近距離通信網１６０を介して移動通信端末１５０およびナビゲーション端末１７０が接続される。
【００３６】
ナビゲーション端末１７０は、近距離通信網１６０を介して移動通信端末１５０と接続され、アプリケーションサーバー１２０に要請して受信した交通情報を実行する。このとき、近距離通信網１６０としては、無線ＬＡＮ、ブルーテゥース、ＵＷＢ（Ｕｌｔｒａ  Ｗｉｄｅ  Ｂａｎｄ）などが挙げられる。
【００３７】
移動通信端末１５０は、近距離通信網１６０を介してナビゲーション端末１７０と接続され、移動通信網１４０を介してサービスサーバー１１０と接続される。移動通信端末１５０は、ナビゲーション端末１７０とサービスサーバー１１０との間のデータの転送を司る。このために、移動通信端末１５０は、移動通信網１４０との通信のための通信部に加えて、近距離通信網１６０との通信のための通信部をも備えている。
【００３８】
サービスサーバー１１０は、移動通信網１４０を介して移動通信端末１５０およびアプリケーションサーバー１２０に接続される。サービスサーバー１１０は、ナビゲーション端末１７０および移動通信端末１５０に対して認証を行い、認証済みのナビゲーション端末１７０から要請された交通情報の提供をアプリケーションサーバー１２０に要請する。
【００３９】
アプリケーションサーバー１２０は、移動通信網１４０を介してサービスサーバー１１０と接続され、ナビゲーション端末１７０から要請された交通情報を提供する。
【００４０】
課金サーバー１３０は、移動通信網１４０を介してサービスサーバー１１０と接続される。課金サーバー１３０は、アプリケーションサーバー１２０からナビゲーション端末１７０に交通情報が提供された場合に、移動通信端末１５０に対して課金を行う。なお、課金サーバー１３０は、ナビゲーション端末１７０に対して課金を行ってもよいことに留意されたい。
【００４１】
一方、上述したサービスサーバー１１０、アプリケーションサーバー１２０および課金サーバー１３０は、移動通信網１４０ではなく、有線通信網（図示せず）などを介して互いに接続可能であることに留意されたい。また、アプリケーションサーバー１２０および課金サーバー１３０は、サービスサーバー１１０の構成要素として含まれてもよいことに留意されたい。
【００４２】
以下、図６から図１０に基づき、本発明の実施形態に係る近距離通信網を用いた交通情報の提供方法を説明する。
【００４３】
図６は、本発明の実施形態に係る交通情報の提供方法のフローチャートであり、図７は、図６におけるサービス要請ステップの詳細フローチャートであり、図８は、図６における認証ステップの詳細フローチャートであり、図９は、図６における交通情報要請ステップの詳細フローチャートであり、図１０は、図６における提供ステップの詳細フローチャートである。
【００４４】
図６に示すように、本実施形態に係る近距離通信網を用いた交通情報の提供方法（以下、説明の便宜のために、特に言及のない限り、「近距離通信網を用いた交通情報の提供方法」は、「交通情報の提供方法」と略称する。）は、サービス要請ステップ（Ｓ１００）と、認証ステップ（Ｓ２００）と、交通情報要請ステップ（Ｓ３００）および提供ステップ（Ｓ４００）を含む。
【００４５】
サービス要請ステップ（Ｓ１００）は、ナビゲーション端末が移動通信端末を検索し、検索された移動通信端末に対してサービス要請信号を送信するステップである。図７に基づき、サービス要請ステップ（Ｓ１００）を詳しく説明する。まず、ナビゲーション端末が近距離通信網を介して移動通信端末を検索する（Ｓ１１０）。この後、ナビゲーション端末が移動通信端末にサービス要請信号を送信する（Ｓ１２０）。
【００４６】
認証ステップ（Ｓ２００）は、サービスサーバーがナビゲーション端末および移動通信端末に対してサービス提供のための認証を行うステップである。図８に基づき、認証ステップ（Ｓ２００）を詳しく説明する。認証ステップ１において、移動通信端末は、ナビゲーション端末がサービス利用可能な機器であるか否かを判断する（Ｓ２１０）。このとき、判断項目としては、ナビゲーション端末のハードウェア仕様、サービスサーバーの認証機器の登録有無などが挙げられる。
【００４７】
認証ステップ２において、認証ステップ１における判断の結果、ナビゲーション端末が使用可能な機器であると判断された場合に、ナビゲーション端末が移動通信端末にナビゲーション端末の固有識別情報を送信する（Ｓ２２０）。
【００４８】
認証ステップ３において、移動通信端末は、ナビゲーション端末の固有識別情報が正常であるか否かを判断する（Ｓ２３０）。固有識別情報の正常有無は、サービスサーバーにおいて指定した固有識別情報の型式に合うがどうかを判断することである。
【００４９】
認証ステップ４において、認証ステップ３における判断の結果、固有識別情報が正常であると判断された場合に、移動通信端末がサービスサーバーに移動通信端末およびナビゲーション端末の固有識別情報を送信する（Ｓ２４０）。
【００５０】
認証ステップ５において、サービスサーバーが、移動通信端末およびナビゲーション端末の固有識別情報および加入情報を基に、前記移動通信端末およびナビゲーション端末がサービス利用可能な状態であるか否かを判断する（Ｓ２５０）。使用可能な状態とは、移動通信端末が正常開通された状態であり、移動通信端末およびナビゲーション端末のハードウェア仕様が使用に全く問題ない状態のことをいう。ここで、移動通信端末およびナビゲーション端末のハードウェア仕様は、サービスサーバーの記憶部に記憶されていることが好ましい。なお、加入情報は、使用可能な料金制の加入顧客であるか否かを確認するために必要である。
【００５１】
認証ステップ６において、認証ステップ５における判断の結果、前記移動通信端末およびナビゲーション端末がサービス利用可能な状態であると判断された場合に、ナビゲーション端末に認証メッセージを送信する（Ｓ２６０）。認証メッセージは、移動通信端末を経てナビゲーション端末に送信される。
【００５２】
交通情報要請ステップ（Ｓ３００）は、ナビゲーション端末がサービスサーバーからの一覧から交通情報を選択して送信を要請するステップである。図９に基づき、交通情報要請ステップ（Ｓ３００）を詳しく説明する。交通情報要請ステップ１において、ナビゲーション端末が、接続された近距離通信網の情報および一覧の要請メッセージをサービスサーバーに送信する（Ｓ３１０）。ここで、近距離通信網情報は、近距離通信網の種類を含む。
【００５３】
交通情報要請ステップ２において、サービスサーバーが要請された一覧をナビゲーション端末に送信する（Ｓ３２０）。このとき、一覧には、交通情報の記憶可否、課金情報などが含まれる。
【００５４】
交通情報要請ステップ３において、サービスサーバーが要請された一覧に含まれている交通情報資料をナビゲーション端末に送信する（Ｓ３３０）。このとき、交通情報資料には、交通情報の説明、送信可能な近距離通信網の種類、課金情報、交通情報のサイズおよび交通情報の送信形態などが含まれる。
【００５５】
交通情報要請ステップ４において、ナビゲーション端末が一覧に含まれている交通情報を選択してサービスサーバーに送信する（Ｓ３４０）。このとき、ナビゲーション端末が課金サーバーに課金情報を送信する動作をさらに行ってもよい。ここで、課金情報には、移動通信端末決済、先払い決済情報などが含まれる。
【００５６】
提供ステップ（Ｓ４００）は、アプリケーションサーバーがナビゲーション端末から要請された交通情報を提供するステップである。図１０に基づき、提供ステップ（Ｓ４００）を詳しく説明する。提供ステップ１において、サービスサーバーが選択された交通情報を変換する必要があるか否かを判断する（Ｓ４１０）。交通情報の変換は、ナビゲーション端末および／または移動通信端末において交通情報が実行されるために、交通情報のデータ構造などを変換する必要がある場合に行う。この場合に、サービスサーバーは、ナビゲーション端末や移動通信端末の仕様に基づいて実行するために交通情報の変換要否を判断する。
【００５７】
提供ステップ２において、提供ステップ１における判断の結果、変換する必要があると判断された場合に、アプリケーションサーバーに変換を要請するか、あるいは、サービスサーバーが交通情報を変換する（Ｓ４２０）。
【００５８】
提供ステップ３において、変換済みの交通情報をナビゲーション端末に送信する（Ｓ４３０）。すなわち、変換済みの交通情報は、アプリケーションサーバーからサービスサーバー、移動通信端末を経てナビゲーション端末に送信される。
【００５９】
以下、図２および図１１に基づき、本発明の実施形態に係る交通情報中継のためのサービスサーバーおよびこれを用いた中継方法を説明する。
【００６０】
図２は、図１におけるサービスサーバーの詳細ブロック図であり、図１１は、本発明の実施形態に係るサービスサーバーを介した交通情報の中継方法のフローチャートである。
【００６１】
図２を参照すると、交通情報中継のためのサービスサーバー１１０（以下、説明の便宜のために、特に言及のない限り、「交通情報中継のためのサービスサーバー」は、「サービスサーバー」と略称する。）における通信部１１１は、移動通信網を介してデータを送受信する。
【００６２】
移動通信端末管理部１１２は、通信部１１１を介して受信された移動通信端末情報を管理する。このとき、移動通信端末情報には、移動通信端末の機種、ハードウェア仕様、移動通信端末のユーザー情報などが含まれる。
【００６３】
ナビゲーション端末管理部１１３は、通信部１１１を介して受信されたナビゲーション端末情報を管理する。このとき、ナビゲーション端末情報には、ナビゲーション端末の機種、ハードウェア仕様、ナビゲーション端末の固有識別情報などが含まれる。
【００６４】
近距離通信網管理部１１４は、移動通信端末とナビゲーション端末との間の通信を中継する近距離通信網情報を管理する。このとき、近距離通信網情報には、通信網の規格、ログインが必要となる場合にはログインアカウント情報などが含まれる。
【００６５】
記憶部１１６は、移動通信端末情報、ナビゲーション端末情報および近距離通信網情報を記憶する。
【００６６】
制御部１１５は、各構成要素の動作を制御し、移動通信端末情報およびナビゲーション端末情報を基に、移動通信端末およびナビゲーション端末に対して認証を行い、通信部１１１がアプリケーションサーバーから受信した交通情報を移動通信端末に転送するように制御する。
【００６７】
以下、図１１に基づき、サービスサーバーを介した交通情報の中継方法を説明する。
【００６８】
ステップ１において、移動通信端末およびナビゲーション端末を認証する（Ｓ５００）。
【００６９】
ステップ２において、移動通信端末に交通情報一覧を提供する（Ｓ５１０）。
【００７０】
ステップ３において、移動通信端末に交通情報資料を提供する（Ｓ５２０）。
【００７１】
ステップ４において、移動通信端末から要請された交通情報をアプリケーションサーバーから受信して移動通信端末に転送する（Ｓ５３０）。ここで、サービスサーバーは、移動通信端末またはナビゲーション端末のハードウェア仕様に基づく交通情報の変換要請をアプリケーションサーバーに転送するかまたはサービスサーバーが自ら変換し、アプリケーションサーバーまたはサービスサーバーによって変換された交通情報を移動通信端末に転送することに留意されたい。
【００７２】
一方、上述した中継方法は、記憶媒体にプログラムとして記憶される。
【００７３】
以下、図３および図１３に基づき、本発明の実施形態に係る交通情報の提供のためのアプリケーションサーバーおよびこれを介した交通情報の提供方法を説明する。
【００７４】
図３は、図１におけるアプリケーションサーバーの詳細ブロック図であり、図１３は、本発明の実施形態に係るアプリケーションサーバーを介した交通情報の提供方法のフローチャートである。
【００７５】
図３を参照すると、交通情報提供のためのアプリケーションサーバー１２０（以下、説明の便宜のために、特に言及のない限り、「交通情報提供のためのアプリケーションサーバー」は、「アプリケーションサーバー」と略称する。）における通信部１２１は、移動通信網を介してデータを送受信する。
【００７６】
交通情報管理部１２２は、交通情報を管理する。このとき、交通情報には、交通情報の説明、送信可能な近距離通信網の種類、課金情報、交通情報のサイズ、交通情報のデータ構造および送信形態などが含まれる。
【００７７】
変換部１２３は、制御部１２４において生成された交通情報変換指令に基づき交通情報を変換する。
【００７８】
制御部１２４は、各構成要素の動作を制御し、通信部１２１がサービスサーバーに交通情報資料を提供するようにし、サービスサーバーの交通情報の変換要請を受けた場合に変換部１２３が交通情報を変換するようにし、通信部１２１がサービスサーバーに交通情報を提供するように制御する。
【００７９】
記憶部１２５は、交通情報を記憶する。
【００８０】
以下、図１３に基づき、交通情報の提供方法を説明する。ステップ１において、サービスサーバーに交通情報資料を提供する（Ｓ７００）。
【００８１】
ステップ２において、サービスサーバーの要請に応じて交通情報を変換する（Ｓ７１０）。
【００８２】
ステップ３において、サービスサーバーから要請された交通情報を提供する（Ｓ７２０）。
【００８３】
一方、このような交通情報の提供方法は、記憶媒体にプログラムとして記憶される。
【００８４】
以下、図４および図１２に基づき、本発明の実施形態に係る交通情報中継のための移動通信端末およびこれを介した交通情報の中継方法を説明する。
【００８５】
図４は、図１における移動通信端末の詳細ブロック図であり、図１２は、本発明の実施形態に係る移動通信端末を介した交通情報の中継方法のフローチャートである。
【００８６】
図４を参照すると、本実施形態に係る交通情報中継のための移動通信端末１５０（以下、説明の便宜のために、特に言及のない限り、「交通情報中継のための移動通信端末」は、「移動通信端末」と略称する。）における第１の通信部１５１は、移動通信網を介してデータを送受信する。
【００８７】
第２の通信部１５２は、近距離通信網を介してデータを送受信する。様々な近距離通信網の種類に対応するために、第２の通信部１５２は２以上の近距離通信網通信規格を有する。
【００８８】
ナビゲーション端末管理部１５３は、第２の通信部１５２を介して受信されたナビゲーション端末情報を管理する。
【００８９】
記憶部１５５は、ナビゲーション端末情報を記憶する。記憶部１５５は、必要に応じて、サービスサーバーから受信した交通情報を記憶してもよい。受信された交通情報が記憶部１５５に記憶されることにより、移動通信端末１５０においても受信された交通情報を実行することが可能となり、通信上の問題によりナビゲーション端末への交通情報の送信が完了できなかった場合に、通信経路が正常に戻るタイミングにおいて未送信の交通情報を送信することができる。
【００９０】
制御部１５４は、各構成要素の動作を制御する。特に、制御部１５４は、ナビゲーション端末のサービス利用可否および固有識別情報の正常有無を判断し、ナビゲーション端末の交通情報要請をサービスサーバーに転送し、サービスサーバーから受信した交通情報をナビゲーション端末に転送するように前記第１の通信部および第２の通信部を制御する。
【００９１】
以下、図１２に基づき、中継方法を説明する。ステップ１において、ナビゲーション端末を認証する（Ｓ６００）。
【００９２】
ステップ２において、サービスサーバーに交通情報一覧要請を転送する（Ｓ６１０）。
【００９３】
ステップ３において、サービスサーバーから受信した交通情報一覧をナビゲーション端末に転送する（Ｓ６２０）。
【００９４】
ステップ４において、サービスサーバーから受信した交通情報をナビゲーション端末に転送する（Ｓ６３０）。このとき、交通情報は、バッファリングのためにまたは実行のために記憶部に記憶されてもよいことに留意されたい。なお、サービスサーバーから受信した交通情報を記憶して実行する実行ステップをさらに行ってもよい。
【００９５】
一方、この中継方法は、記憶媒体にプログラムとして記憶される。
【００９６】
以下、図５および図１４に基づき、本発明の実施形態に係る近距離通信網を介して受信された交通情報を実行するナビゲーション端末及びこれによる実行方法を説明する。
【００９７】
図５は、図１におけるナビゲーション端末の詳細ブロック図であり、図１４は、本発明の実施形態に係る近距離通信網を介して受信された交通情報を実行する方法のフローチャートである。
【００９８】
図５を参照すると、本実施形態に係る近距離通信網を介して受信された交通情報を実行するナビゲーション端末１７０（以下、説明の便宜のために、特に言及のない限り、「近距離通信網を介して受信された交通情報を実行するナビゲーション端末」は、「ナビゲーション端末」と略称する。）における通信部１７１は、近距離通信網を介してデータを送受信する。
【００９９】
入力部１７２には、ユーザーの指令が入力される。入力部１７２としては、赤外線リモコン、スイッチ、キーパッド、キーボード、タッチスクリーンなどの入力手段が挙げられる。
【０１００】
実行部１７３は、通信部１７１を介して受信された交通情報を実行する。実行部１７３としては、交通情報の実行のためのデータ処理部、音響処理部などが挙げられる。
【０１０１】
制御部１７４は、各構成要素の動作を制御し、移動通信端末に交通情報要請信号を送信し、移動通信端末から交通情報を受信するように通信部１７１を制御する。
【０１０２】
記憶部１７５は、ナビゲーション端末の識別情報および受信された交通情報を記憶する。
【０１０３】
以下、図１４に基づき、実行方法を説明する。
【０１０４】
ステップ１において、近距離通信網を介して移動通信端末に固有識別情報を送信して認証を要請する（Ｓ８００）。
【０１０５】
ステップ２において、移動通信端末から受信した交通情報一覧および交通情報資料を確認する（Ｓ８１０）。
【０１０６】
ステップ３において、移動通信端末に交通情報を要請する（Ｓ８２０）。
【０１０７】
ステップ４において、移動通信端末から受信した交通情報を実行する（Ｓ８３０）。
【０１０８】
一方、この実行方法は、記憶媒体にプログラムとして記憶される。
【０１０９】
以上、本発明の実施形態を添付図面に基づいて説明した。
しかしながら、本発明は、上述した実施形態に限定されるものではなく、必要に応じて、当業者にとって特許請求の範囲の精神及び思想内において様々な修正および変更が可能であることに留意されたい。
【産業上の利用可能性】
【０１１０】
本発明によれば、ナビゲーション端末が、近距離通信網を介して検索された移動通信端末を用いて、移動通信網に接続されたアプリケーションサーバーから所望の交通情報をダウンロードして実行することができる。
【符号の説明】
【０１１１】
１００  交通情報提供システム
１１０  サービスサーバー
１２０  アプリケーションサーバー
１３０  課金サーバー
１４０  移動通信網
１５０  移動通信端末
１６０  近距離通信網
１７０  ナビゲーション端末
【図１】
0005425924.tif 000002
【図２】
0005425924.tif 000003
【図３】
0005425924.tif 000004
【図４】
0005425924.tif 000005
【図５】
0005425924.tif 000006
【図６】
0005425924.tif 000007
【図７】
0005425924.tif 000008
【図８】
0005425924.tif 000009
【図９】
0005425924.tif 000010
【図１０】
0005425924.tif 000011
【図１１】
0005425924.tif 000012
【図１２】
0005425924.tif 000013
【図１３】
0005425924.tif 000014
【図１４】
0005425924.tif 000015